(57)【要約】  本発明は、均一かつ不断の照明が要求されないエリア全体を通して照明を制御するための装置および方法を提供する。本発明には、照明器具などの１つまたは複数の光源が含まれ、その状態は、関心のあるパラメータを検出するためのセンサに反応するコントローラによって制御される。センサは、制御された照明のエリアを通って移動する対象の動きを検出するのが好ましい。各独立したコントローラは、それが通信して制御している光源の照明状態を決定および制御するために、１つまたは複数の近くの光源の状態を示す信号を受信および送信してもよい。コントローラによる決定は、プログラムされたマイクロプロセッサによって実行するのが好ましい。コントローラ間の通信は、無線であってもよい。コントローラ間で通信される信号は、応答が必要かどうか、および応答は何であり得るかを決定するために、階層的であってもよい。【選択図】図１
2013527568.tif 000002
【特許請求の範囲】
【請求項１】
制御された照明用の装置において、
少なくとも２つの光源と、
関心のあるパラメータを検出するための少なくとも１つのセンサと、
前記光源を操作するための少なくとも１つのコントローラと、
信号を送信するための少なくとも１つの送信機と、
送信信号を受信するための少なくとも１つの検出手段と、
を含むことを特徴とする装置。
【請求項２】
請求項１に記載の装置において、第１のコントローラと通信する第１の送信機が、第２のコントローラと通信する検出手段に信号を送信することを特徴とする装置。
【請求項３】
請求項１に記載の装置において、前記信号が無線信号であることを特徴とする装置。
【請求項４】
請求項１に記載の装置において、コントローラが、前記送信信号をレベルに分類するようにプログラム可能なマイクロプロセッサを組み込むことを特徴とする装置。
【請求項５】
請求項２に記載の装置において、コントローラが、前記レベルに従って前記光源を独立して操作するようにプログラム可能なマイクロプロセッサを組み込むことを特徴とする装置。
【請求項６】
請求項１または２のいずれか一項に記載の装置において、前記光源が照明器具であることを特徴とする装置。
【請求項７】
請求項１に記載の装置において、前記関心のあるパラメータが、人の存在を示すことを特徴とする装置。
【請求項８】
請求項１に記載の装置において、前記センサが、動きを検出することを特徴とする装置。
【請求項９】
請求項１に記載の装置において、送信機が、限られた範囲の信号を送信することを特徴とする装置。
【請求項１０】
複数の光源の動作を制御するためのシステムにおいて、
少なくとも２つの光源と、
関心のあるパラメータを検出するための少なくとも１つのセンサと、
前記光源を操作するための少なくとも１つのコントローラと、
信号を送信するための少なくとも１つの送信機と、
送信信号を受信するための少なくとも１つの検出手段と、
を含み、
前記少なくとも２つの光源が、少なくとも１つのコントローラによって独立して制御可能であることを特徴とするシステム。
【請求項１１】
請求項１０に記載のシステムにおいて、コントローラが、複数の送信機からの複数の送信信号を受信するようにプログラムされることを特徴とするシステム。
【請求項１２】
複数の光源を制御する方法において、
（ａ）第１の関心エリアにおける活動の存在を検出するステップと、
（ｂ）前記活動が、閾値を満たすかどうかを決定するステップと、
（ｃ）前記第１の関心エリアを照明するステップと、
（ｄ）前記第１のエリアの照明状態を送信するステップと、
（ｅ）前記照明のレベルを分類するステップと、
（ｆ）前記第１のエリアにおける前記第１の照明状態の前記送信を受信するステップと、
（ｇ）前記第１の照明状態の状態が、所定のレベルを満たすかどうかを決定するステップと、
（ｈ）前記第１のエリアの前記状態の前記決定に従って、第２のエリアを照明するステップと、
を含むことを特徴とする方法。
【請求項１３】
請求項１２に記載の方法において、１つのエリアを照明することが、別のエリアを照明することから独立していることを特徴とする方法。
【発明の詳細な説明】
【技術分野】
【０００１】
関連出願の相互参照
本出願は、２０１０年４月２６日に出願されたオーストラリア仮出願第２０１０９０１７４６号の優先権および利益を主張する。
【０００２】
本発明は、電気制御システムに関し、特に照明制御に関する。
【背景技術】
【０００３】
工場、倉庫およびオフィスなどの大きな建物の管理責任者に共通の問題は、エネルギの浪費である。ほとんどまたは全く混乱なく正常な活動を確実に進めながら、エネルギ消費をできるだけ削減することが望ましい。照明の効率的な制御が、建物管理者の共通の目標である。
【０００４】
所与のエリアにおける人または活動の存在に基づいて照明を制御するために、様々な試みがなされた。最も単純な例では、人は、自分が入り、かつ立ち去るエリアにおける照明を手動で点けたり切ったりする。これは、正常な活動がこのプロセスによって中断され得るという欠点を有し、かつこれは、特に、当人が、危険な可能性のある材料であるが、照明を点けたり切ったりするために降ろして持ち上げなければならない材料を扱っている場合に、安全上の危険さえもたらす可能性がある。
【０００５】
上記などの状況で照明を制御する周知の解決法では、照明を点灯させた後に所定の時間後に自動的に切る時間遅延スイッチを作動させることが必要なこともあるが、前記時間は、人が、必要な活動を行い、照明されたエリアを去るのに十分な時間である。これは、予めプログラムされた「点灯」時間より多くの時間を必要とする場合に、人が、照明なしに残される可能性があり、安全上の危険をもたらすという欠点がある。
【０００６】
米国特許第５，２２０，２５０号明細書においてＳｚｕｂａによって開示されているような別の一般的なアプローチは、センサを用いて人の存在を検出することに基づき、照明を作動させることである。センサは、マイクロ波センサ、受動赤外線センサ、または超音波センサなど、多くのタイプの１つであってもよく、各センサは、通常、特定のエリアにおける人の動きによって作動する。センサは、個々の照明器具に装着してもよく、または動きを検出して、個々の照明器具か、さもなければ倉庫部分などの照明ゾーンを代表する複数の照明器具を作動させるように別々に配置してもよい。
【０００７】
前述の検出アプローチには、大きな欠点がある。各照明器具が、それ自体のセンサによって制御される第１の例の場合において、問題は、それが非常にエネルギ効率的であるが、照明されるエリアが、普通の人間活動には小さすぎ、したがって望ましくないことである。センサが多くの照明器具を作動させる第２の場合では、センサによって作動される照明器具をゾーンへと配線することが必要である。かかるゾーンの画定は、初期の取り付けおよび立ち上げ中に決定され、ある期間後に、人が取り掛かる必要のある活動の境界に変更が生じたときに、照明の必要性の変化に有効に適応できない可能性がある。例えば、組み立てラインの再配置は、それが２つの照明ゾーンを重複させて、照明システムにおける効率の最適化を不可能にする結果となり得る。
【０００８】
最近になって、Ｈｕｉｚｅｎｇａ（米国特許第７，６２３，０４２号明細書）によって教示されるようなコンピュータ化された建物管理システムを用いて、建物における照明を最適化する試みが行われた。かかるシステムは、建物に配置されたセンサから入力を受信し、かつ暖房および照明などの設備を点けたり切ったりする論理演算を実行することができる。この場合に、システムは、照明器具、センサおよび制御ユニット間の論理的接続を提供するために必要な無線リンクのコストという不利益を被る。検出情報および出力制御が、ワイヤを通じて提供されるシステムに対して、前記配線の取り付けに関連するかなりのコストがかかる。かかる全ての場合に、制御ユニットおよび別個のセンサのコストが、コスト負担をさらに増加する。さらなる欠点は、他の集中型システムと同様に、立ち上げ中に照明器具をゾーンに配線しなければならないということである。かかるゾーンは、通常、できる限り大きい。なぜなら、それが、配線コストおよびインターフェースコストを最小化するからである。その結果、照明制御の粒度は、エネルギ利用を最適化し得る程度を制限するゾーンサイズに制限される。
【０００９】
自動照明制御システムの非常に一般的な欠点は、活動の中断時に、および通常はさらなる遅延期間後に、照明器具が切られるということである。これは、近くで働いている人の気を非常に散らすという影響がある。人が働いているエリアが、十分に照明されていても、周辺の照明の突然の変化は、注意力散漫および安全性または生産性の悪化を引き起こす可能性がある。必要なものは、現在周知の装置、方法およびシステムより効率的に、かつコスト効率よく特定のエリアを照明するための改善された装置、方法およびシステムである。
【発明の概要】
【００１０】
本発明は、エリアの照明を制御するための装置、方法およびシステムを提供する。本発明の目的は、エリアが占有されている時間、または照明が必要な他の時間にのみエリアにおいて照明を提供すること、および提供される照明を制御することである。
【００１１】
一態様において、本発明は、関心のある活動を示すパラメータにおける変化を検出するためのセンサと、限られた範囲の信号送信手段と、送信信号を受信するための検出手段と、コントローラと、光源と、を含む装置を提供する。関心のある活動は、人の存在であるのが好ましい。センサは、動き検出手段であるのが好ましい。代替として、センサは、放射線を検出してもよい。光源は、ハウジング、光源、電源、制御装置、および光ディフューザ、タイマ、センサなどの他の要素を含む、当該技術分野において周知の照明器具である。照明器具は、複数のパラメータを検出するために複数のセンサを組み込んでもよい。信号送信手段は、信号を送信および検出してもよい。信号は、符号化してもよい。
【００１２】
別の態様において、本発明は、空間および時間にわたってエリアを選択的に照明するための方法を提供する。方法には、人の存在を示すパラメータの第１の変化を検出するステップと、第１のエリアを照明するステップと、第１のエリアから少なくとも第２のエリアに照明の状態を送信するステップと、所定の基準に従って少なくとも第２のエリアを照明すべきかどうかを決定するステップと、所定の基準に従って少なくとも第２のエリアを照明するステップと、が含まれる。検出ステップは、動きを検出するのが好ましい。代替として、検出ステップは、熱放射、温度、または関心のある別のパラメータを検出してもよい。方法には、人の存在を示すパラメータにおける第２の変化を決定するステップを含んでもよい。方法には、所定の基準に従って、照明を停止すべきかどうかを決定するステップを含んでもよい。方法には、いくつかのエリアが照明されることにつながる複数の決定をするステップを含んでもよく、いくつかのエリアは照明されない。決定ステップは、コントローラによって実行されるのが好ましい。コントローラには、決定ステップを実行するようにプログラムされたマイクロプロセッサを含むのが好ましい。検出ステップは、信号検出手段によって実行するのが好ましい。送信ステップは、赤外線ブロードキャストによって実行するのが好ましい。方法には、電気光源でエリアを照明することを含んでもよい。光源は、照明器具であるのが好ましい。送信ステップには、信号を送信することを含んでもよい。信号は、符号化するのが好ましい。信号の符号化は、分類体系に従って分類してもよい。分類体系には、少なくとも１つの分類カテゴリまたはレベルを組み込んでもよい。分類体系には、複数のカテゴリまたはレベルを含むのが好ましい。カテゴリは、複数のコントローラによって送信される信号の階層関係によって定義してもよい。階層関係は、受信コントローラに関連付けるのが最も好ましい。階層関係には、複数のレベルを含むのが最も好ましい。
【００１３】
本発明には、あるエリア用に照明を提供するための照明システムが含まれ、このシステムには、独立して動作可能であり、かつ光源と通信するコントローラまたは複数のコントローラによって制御可能な複数の光源が含まれる。
【図面の簡単な説明】
【００１４】
【図１】図１は、本発明による照明システムに配置され、照明器具として示された光源システムを示す。
【図２】図２は、不可欠なコンポーネントおよびそれらの間の関係を示す照明システムのブロック図を示す。
【図３】図３は、隣接する照明器具間の範囲を制限するために、照明システムの光源間の通信範囲を制限する好ましい実施形態を示す。
【図４】図４は、照明システム内における発光ダイオードの投射エリアおよび赤外線センサの視野の重複領域を示す。
【図５】図５は、照明システムの光源のそれぞれにおいて実行されるアルゴリズムを説明する流れ図を示す。
【発明を実施するための形態】
【００１５】
本発明には、照明システムの照明制御用の方法およびシステムが含まれ、この場合に本発明には、パラメータを検出するための少なくとも１つのセンサと、通信手段と、前記ブロードキャスト通信を受信する検出手段と、コントローラと、光源と、が含まれる。通信手段は、限られた範囲の信号を送信および／または受信するのが好ましい。光源には、照明の技術分野において周知の照明器具を含むのが好ましい。しかしながら、他の光源を用いてもよい。本明細書で説明する好ましい実施形態には、光源が照明器具であることが含まれるが、しかし任意の適切な光源を本発明の実施形態に組み込んでもよいことが理解されよう。センサは、動き検出手段であるのが好ましい。しかしながら、放射線センサなどの他のインジケータを用いてもよい。動き検出手段は、人の動きを検出するのが好ましい。通信手段は、信号を送信および受信する。信号は、分類または符号化するのが好ましい。分類には、複数のカテゴリが含まれるのが好ましい。カテゴリは、一連のレベルを命名するのが好ましい。レベルは、コントローラを受信することによる比較のために数的階層を表すのが好ましい。様々な態様において、本発明は、エリアにおける予想される活動の性質に依存して、関心のある活動が存在するエリアかまたは関心のある活動に隣接するエリアに局限された照明を提供してもよい。照明器具に関連する動き検出手段が、活動の存在を検出した場合に、それは、コントローラに入力される信号を供給する。この入力信号の活性化の結果として、コントローラは、照明器具内の光源を作動させるための出力信号を供給してもよい。したがって、作動された光源は、活動に取り掛かっている人のために照明を提供する。また、入力信号に応じて、コントローラは、短距離通信手段を作動させて、信号をブロードキャストしてもよい。信号は、レベル１ブロードキャスト信号として符号化するのが好ましい。本発明には、光源の組み合わせが含まれ、各光源には、コントローラを含んでも含まなくてもよい。例えば、必要とされる場合、大きなエリアを照明するために共通のコントローラによって２つの光源を制御してもよい。同様に、単一のコントローラによって複数の光源を制御してもよい。本発明の実施形態には、必要に応じて特定のエリアの照明を制御するために、複数のコントローラで構成および制御される複数の光源が含まれる。光源は、同じである必要がなく、光源のタイプの組み合わせであってもよい。
【００１６】
この信号は、近くの照明器具に組み込まれるかまたは近くの照明器具との通信を制御する通信手段によって受信してもよく、その結果、各照明器具は、プログラムされたコントローラに従ってその光源を点け、かつレベル２ブロードキャスト信号として符号化された信号を送信する。このレベル２信号の受信の結果、レベル１信号をまだ受信していない近くの照明器具用コントローラは、その光源を点けてもよく、かつレベル３信号の送信をもたらす等であってもよい。照明器具などの光源を制御するコントローラは、信号送信における限られた範囲の信号レベルだけに、特定の送信順序で応答するようにプログラムしてもよく、その結果、動き検出イベントに応じて、関心のある活動により作動される照明エリアは制限される。例えば照明器具と通信するコントローラ、すなわちレベル１およびレベル２信号として分類された信号に応じて自身の光源を点けるようにプログラムされたコントローラは、レベル１信号に応じて、より高いレベルの信号を送信するようにのみプログラムしてもよい。レベル２信号が、照明器具用のコントローラによって受信された場合に、コントローラは、それに応じては信号をブロードキャストしない。これは、限られた照明の境界を、レベル２ブロードキャスト信号を受信する照明器具に課する効果がある。各送信機が、限られた射程を持つため、レベル１またはレベル２信号のいずれかである送信レベルの組み合わせ、およびブロードキャスト信号の限られた距離範囲は、当然、照明器具に関連する当初の動き検出手段から、関心のある当初の活動から最も遠くで作動される照明器具までの距離を制限する。
【００１７】
各照明器具は、動き信号、レベル１信号、レベル２信号などのいずれかを受信すると、ある光レベルを放射するようにプログラムしてもよい。例えば、システムには、単に動きレベル信号およびレベル１信号を含んでもよい。この場合に、システムは、動き信号、または近くの照明器具からの信号にのみ異なって応答する。レベル１信号は、特定の照明器具が、「動き」モードにおける照明器具に直接隣接するにせよ、動きを検出する照明器具からいくらか離れているにせよ、とにかく受信および送信されることになろう。この場合に、レベルは、１に設定されるのが好ましく、その場合に、照明器具は、対象存在信号（ａ  ｓｕｂｊｅｃｔ  ｐｒｅｓｅｎｔ  ｓｉｇｎａｌ）またはレベル１信号の受信時に、レベル１信号を送信することになろう。
【００１８】
方法にはまた、照明が、あるレベル、または受信信号が終了した後で後続の低減レベルに留まるためのプログラム可能なドウェル時間を含んでもよい。
【００１９】
照明エリアの範囲は、コントローラが応答する送信信号レベルに対する制限、および信号レベルのそれぞれに対するプログラム可能な動作を用いて、各照明器具用のコントローラをプログラムすることによって制御可能であることが、上記の説明から明らかである。例えば、照明器具がレベル１信号にのみ応答するシステムは、照明器具が、レベル２、３、４等までの信号に応答するようにプログラムされる、他の場合の同様のシステムより小さい。
【００２０】
ここで、本発明の例示的な実施形態を図１を参照して説明する。対象（１）の存在が、第１の照明器具（２）における第１のセンサによって検出される。前記第１の照明器具（２）における前記第１のセンサと通信するコントローラは、その光源を点けて、レベル１ブロードキャスト信号（３）を送信し、このブロードキャスト信号（３）は、近くの第２の照明器具（４および５）における検出手段によって検出される。検出手段が、送信信号用の任意の一般に利用可能な受信機であり得ることが理解されよう。第２、第３、またはより多くの近くの照明器具（４および５）に関連するコントローラは、それらの光源を点けて、レベル２信号（６）を送信し、この信号（６）は、他の近くの照明器具（７および８）、および当初のまたは第１の照明器具（２）によって検出される。当初のまたは第１の照明器具は、この信号には応答しないようにプログラムされる。なぜなら、それが、既に下位レベルの信号を送信したからである。レベル２ブロードキャスト信号（６）を検出した照明器具（７および８）におけるコントローラは、それらの光源を点ける。全ての照明器具が、レベル１信号の受信時にのみ信号を送信するようにプログラムされているので、照明器具７および８は、信号をブロードキャストせず、その結果、それ以上の照明器具は作動されない。
【００２１】
上記の方法におけるステップの多くの変形が可能であることが理解されよう。上記の方法の変形において、照明器具は、それが下位または等しいレベルの信号をまだ送信していないという条件で、受信信号の数的レベルにかかわらず、次のレベルの信号を送信するようにプログラムしてもよい。例えば、照明器具は、最初はアイドルで、ある期間は信号を受信しなくてもよい。照明器具が、Ｎレベルの信号（ここでＮは任意の整数である）を受信した場合に、それは、順序Ｎ＋１の信号を送信する。この動作によって、有利になり得る代替光パターンを形成することが可能になる。例えば、照明器具は、以下のように信号に応答してもよい。
【００２２】
照明器具がアイドル（ある期間、信号が受信されない）で、第１の受信信号がレベルＮ（ここでＮは１または２）である場合に、コントローラは、その光源を最大限の強度で点け、照明器具は、レベルＮ＋１信号を送信する。
【００２３】
照明器具がアイドルで、第１の受信信号がレベルＭ（ここでＭは３または４）である場合に、照明器具は、その光源を半分の強度に点け、レベルＭ＋１信号を送信してもよい。
【００２４】
信号レベルは、距離と共に増加し、送信機の通信距離内の全ての照明器具に制限なしに送信される。
【００２５】
いくつかの照明器具のコントローラは、どんなレベルの信号にも応答するようにプログラムしてもよい。これは、誰かが一般エリアのどこかにいる場合にはいつでも、歩行用通路、入口および出口廊下、緊急アクセスポイントなどを照明して、活動が行われているエリアの効率的な局所的照明と同様に安全な照明を提供することが望ましい場合に有利である。照明器具用のコントローラは、照明器具に非常に好都合に組み込まれる。しかしながら、照明器具に組み込まれないコントローラが、照明器具から離間配置され、照明器具と通信してもよいことが理解されよう。さらに、システムの大きさおよび照明する必要があるエリアによって要求される場合には、コントローラは、２つ以上の照明器具を制御してもよい。
【００２６】
非常に有利には、本発明の装置には、照明器具に関連する送信および検出手段間の短距離無線信号通信を含むのが好ましい。無線送信の場合に、送信および検出手段は、限られた距離にわたって信号を送信できる任意の手段であってもよい。短距離通信用の一般的な手段には、赤外線リンク、超音波リンク、低出力無線リンク等が含まれる。しかしながら、本発明の範囲にはまた、配線で接続された検出手段間の信号送信が含まれる。本発明には、照明器具上の主光源を調整する手段が含まれる。例えば、蛍光管が、その強度設定入力に素早く応答できる適切に設計されたドライバ回路によって駆動される場合に、蛍光管の光出力の調整が容易に可能であることは、当業者に周知である。
【００２７】
ここで、好ましい実施形態の説明を提供する。図２を参照すると、本発明は、複数の選択可能な光度レベルで正確に蛍光管を駆動する電子安定器（３２ａ）と、コントローラ（３）と、受動赤外線技術に基づいた動き検出器（３４）と、周囲光レベルを検出するための第１の光検出器（３５）と、赤外線通信信号を受信するために、近赤外線の放射線を検出できる第２の光検出器（３６）と、赤外線通信信号を送信するために、主波長が近赤外線である発光ダイオード（３７）と、に加えて、好ましくは蛍光管（３２）である光源を含むハウジング（３１）からなる照明器具として実現されるのが好ましい。
【００２８】
前記コントローラは、周囲光、検出された動き、着信赤外線通信、および時間に基づき、図５に示すアルゴリズムのステップに従って、前記光源の光度を調整するように要求されたときに、前記電子安定器を制御する。したがって、前記コントローラは、第１および第２の光検出器ならびに動き検出器からの信号を入力として受け取り、前記電子安定器を制御しかつ前記発光ダイオードを駆動するための出力を供給する。
【００２９】
図２を参照すると、電子安定器（３２ａ）への制御線（３９）上の制御信号は、コントローラ（３３）によって供給されるアナログ電圧であるのが好ましいが、しかし例としてアナログ電圧、電流ループ、デジタルパルス幅調整信号、パルス位置調整およびシリアルデータ通信などの複数の制御信号形式のいずれか１つを用いてもよい。
【００３０】
ここで、図３を参照して、赤外線通信の範囲を制限することに関する本発明の態様を説明する。好ましい実施形態において、照明器具間の通信範囲は、物理的な開口部の使用によって制限される。物理的な開口部の一実施形態において、適切な形状のマスク（１３）が、赤外線発光ダイオード（１１）によって提供される照明のエリアを制限してもよい。別の実施形態において、適切な形状のマスク（１４）が、赤外線フォトダイオード（１２）の視野を制限してもよい。開口部の他の実施形態を用いてもよいことが理解されよう。
【００３１】
図４は、送信照明器具（２２）に関連する発光ダイオードの投射エリア（２５）および受信照明器具（２３）に関連するフォトダイオードの視野（２６）の重複領域（２０）を示す。したがって、受信照明器具（２３）が、送信照明器具（２２）から赤外線送信を受信できるのに対して、より離れた照明器具（２４）はできないことが分かる。
【００３２】
方法は、特定のシステムにおける照明器具の動作を動的に制御するために、基礎値を設定するための較正プロセスを組み込むのが好ましい。較正プロセスの第１のステップにおいて、較正タイマが、較正期間を開始する。較正期間が終了すると、符号化された「較正」信号が送信される。床または他の反射面などの表面から反射された較正信号が、検出される。受信された出力レベルは、表面の反射率を示すが、反射率は、照明システムの最適動作にとって重要である。検出された出力レベルは、測定され、かつ隣接するかまたは近くの照明器具間の信号送信に必要とされる、十分だが過度ではない出力を示す閾値レベルと比較される。システムの必要性に従って、出力レベルは、隣接する照明器具にのみ信号を送信するように調整してもよく、または出力レベルは、隣接する照明器具（単複）と同様に近くの照明器具への送信を含む範囲用に調整してもよい。次に、閾値に対する受信出力レベルに基づいて、送信信号の電力出力を選択してもよい。タイマを再送信してもよく、次にユニットが、新しい出力レベルで送信する。このプロセスは、照明エリア内の表面反射率における変化に対して動的に調整するために、周期的に繰り返される。
【００３３】
図５を参照すると、各光源におけるアルゴリズムの例示的な実行が、以下のように説明されている。
【００３４】
図５の流れ図は、複数の状態、例えばＳｔａｎｄｂｙ（４１）およびＳｕｂｊｅｃｔＰｒｅｓｅｎｔ（４３）、ならびに複数の遷移、すなわち、１つの状態から別の状態への遷移、例えば状態Ｓｔａｎｄｂｙ（４１）に入る遷移であるｔＳｔａｎｄｂｙ（５７）および状態ＳｕｂｊｅｃｔＰｒｅｓｅｎｔ（４２）に入る遷移である遷移ｔＳｕｂｊｅｃｔＰｒｅｓｅｎｔ（４２）用の出口基準および入口基準を定義する複数の遷移を伴う複数のステップを含む方法を示す。各状態は、単に１つの入口遷移および潜在的に複数の出口遷移を有する。各状態はまた、複数の状態変数、すなわちその状態における光出力のレベルを定義する照明（６１）と、もしタイマがあれば、どのタイマが、所与の状態に入るとカウントダウンを開始するかを定義するタイマ（６２）と、所与の状態にある間に、隣接する光源に送信するために、もし信号ブロードキャストがあれば、信号ブロードキャストのレベルを定義する送信信号レベル（６３）と、を有する。これらの状態変数は、全て、ユーザによって構成可能であっても可能でなくてもよく、または固定値であってもよい。
【００３５】
状態間の一連の遷移の以下の例は、図５に示すアルゴリズムのステップが、図１に示すような、光システム内で動作する単一光源の観点からどのように実行可能かに関する説明としての役割をする。Ｓｔａｎｄｂｙ（４１）からスタートして、光源は、３つの遷移パラメータ、すなわち検出（５８）、受信信号レベル（５９）およびタイマ状態（６０）の状態に依存して、３つの状態、すなわちＳｕｂｊｅｃｔＰｒｅｓｅｎｔ（４２）、Ｌｅｖｅｌ１Ａｃｔｉｖｅ（４９）、またはＬｅｖｅｌ２Ａｃｔｉｖｅ（５４）に入ることができる。例えば、対象が検出された場合に、検出パラメータは、「ＳｕｂｊｅｃｔＰｒｅｓｅｎｔ」になり、遷移ｔＳｕｂｊｅｃｔＰｒｅｓｅｎｔ（４２）が満たされ、光源は、状態ＳｕｂｊｅｃｔＰｒｅｓｅｎｔ（４３）に入る。この状態において、光源は、その照明レベルをＰｒｅｓｅｎｃｅＬｕｘ（６１）を構成する。光源は、対象が存在するという事実により、この状態ではタイマ（６２）を始動させず、遷移は、対象が不在になるまで発生しない。前記ＳｕｂｊｅｃｔＰｒｅｓｅｎｔ状態において、光源は、隣接する光源にレベル１信号（６３）を送信する。検出パラメータが「不在」になると、遷移ｔＰｒｅｓｅｎｔＬｕｘＤｗｅｌｌ（４４）が有効になり、状態は、ＰｒｅｓｅｎｔＬｕｘＤｗｅｌｌ（４５）に変わる。この状態は、Ｌｅｖ１Ｄｗｅｌｌ（５１）およびＬｅｖ２Ｄｗｅｌｌ（５６）に類似した、ドウェルまたはタイマ状態として分類される。前記状態ＰｒｅｓｅｎｔＬｕｘＤｗｅｌｌにおいて、前の状態からの照明レベルが残り、タイマＴｐｌ（６２）が、カウントダウンを開始するが、タイマは、カウントダウンが終了すると、遷移ｔＬｏｗＬｕｘＤｗｅｌｌ（４６）を開始し、状態は、ＬｏｗＬｕｘＤｗｅｌｌ（４７）に変わる。この状態に入ると、照明レベルは、ＬｏｗＬｕｘに設定され、タイマは、Ｔｌｌからカウントダウンを開始する。タイマが終了し、かつ隣接する光源からどんな信号もない状態において、遷移ｔＳｔａｎｄｂｙ（５７）が有効になり、状態は、Ｓｔａｎｄｂｙ（４１）に変わり、関連する状態変数が適切に変化する。この状態でレベル１の受信信号が受信された場合、かつ対象の存在を検出することがない場合に、遷移ｔＬｅｖｅｌ１Ａｃｔｉｖｅが有効になり、状態は、Ｌｅｖｅｌ１Ａｃｔｉｖｅ（４９）になる。この遷移は、それにラインによって接続された状態、すなわち状態ＰｒｅｓｅｎｔＬｕｘＤｗｅｌｌ（４５）、ＬｏｗＬｕｘＤｗｅｌｌ（４７）、Ｌｅｖ１Ｄｗｅｌｌ（５１）、Ｌｅｖｅｌ２Ａｃｔｉｖｅ（５４）、およびＬｅｖ２Ｄｗｅｌｌ（５６））のいずれかからアクセスすることができる。同様に、より高い階層状態ＳｕｂｊｅｃｔＰｒｅｓｅｎｔ（４３）は、前述の状態の他に状態Ｌｅｖｅｌ１Ａｃｔｉｖｅ（４９）のいずれかにおいて、遷移ｔＳｕｂｊｅｃｔＰｒｅｓｅｎｔ（４２）によってアクセスすることができる。
【００３６】
同様に下位レベルの状態、Ｌｅｖｅｌ２Ａｃｔｉｖｅ（５４）は、複数の状態によってアクセス可能であるが、しかし遷移ｔＬｅｖｅｌ１Ａｃｔｉｖｅ（４８）に示すように、対象の存在を検出すること（５８）またはレベル１信号を受信することを優先する階層規則に従う。
【００３７】
上記の説明は、システムを含むネットワーク内における光源のいずれか１つの動作を説明する。システムレベルにおいて、様々な光源は、対象存在検出器の状態に依存して、複数の状態のいずれかにある。関心のある対象が検出された場合に、受信信号レベルは無関係であるが、しかしながら、不在が検出された場合に、光源の状態は、隣接する光源から受信される信号の最優先レベルに依存する。
【００３８】
図５に示すアルゴリズムは、レベル２信号に制限されるが、しかし同じ方法は、無制限な数のレベルに適用することが可能である。さらに、複数の予め構成されたパラメータが提示されているが、しかし予め構成されたパラメータの複数の変形が存在し、いくかは固定することが可能であり、またはアルゴリズムは、パラメータが、システムから実際に設計されるように修正することが可能である。同様に、複数の遷移が、例示的なアルゴリズムにおいて詳述されているが、しかしながら、これらのいくつかは、実際にはアルゴリズムの様々なインプリメンテーションに依存して変化してもよい。例えば、状態Ｌｅｖｅｌ１Ｄｗｅｌｌから状態Ｌｅｖｅｌ２ａｃｔｉｖｅへの遷移は、たとえ状態Ｌｅｖｅｌ２ａｃｔｉｖｅ用に指定された照明であるＬｅｖｅｌ２ｌｕｘがＬｅｖｅｌ１ｌｕｘと異なる可能性があっても、照明Ｌｅｖｅｌ１ｌｕｘを維持してもよい。照明レベルの各遷移は、照明レベルの急速な変化による対象の不快さを最小化するために、予め構成されたかまたは固定されたランプ時間を照明レベル間に組み込んでもよい。照明パラメータはまた、光源からの光出力量の固定量もしくは絶対量であってもよく、またはエリアにおける全体的な光を、要求された照明ポイントまで導くために必要な光量は、全体的に組み合わせた自然光および人工光を所望のレベルにするために、周囲光を測定して光出力を制御する制御システムを用いた、昼光調光システムとしての例によって実現してもよい。
【図１】
2013527568.tif 000003
【図２】
2013527568.tif 000004
【図３】
2013527568.tif 000005
【図４】
2013527568.tif 000006
【図５】
2013527568.tif 000007
【国際調査報告】
2013527568.tif 000008
2013527568.tif 000009
2013527568.tif 000010